(57)【要約】【課題】本発明の目的は、割当帯域の目標帯域への収束に適した要求量しきい値に、割当帯域の目標帯域への収束に適した優先順位で更新し、割当帯域を速やかに目標帯域に収束させることである。【解決手段】本発明に係る受動光通信網システムは、光端局装置であるＯＬＴ５０と複数の光加入者装置６０ｋとが光伝送路１０を介して接続された受動光通信網において、光加入者装置であるＯＮＵ６０ｋから光端局装置５０への通信帯域を光端局装置５０が動的に割り当てる帯域割当方法であって、光端局装置５０が、光加入者装置６０ｋから送信可能なデータ量の限界を示す要求量しきい値Ｔｋを光加入者装置６０ｋごとに算出するとともに光加入者装置６０ｋの優先順位を決定し、算出した要求量しきい値Ｔｋを、優先順位の高い光加入者装置６０ｋから順に、該当する光加入者装置６０ｋに通知する要求量しきい値通知ステップを有することを特徴とする。【選択図】図１
2011035868.tif 000002
【特許請求の範囲】
【請求項１】
光端局装置と複数の光加入者装置とが光伝送路を介して接続された受動光通信網において、前記光加入者装置から前記光端局装置への通信帯域を動的に割り当てる帯域割当方法であって、
前記光端局装置が、前記光加入者装置から送信可能なデータ量の限界を示す要求量しきい値を前記光加入者装置ごとに算出するとともに前記光加入者装置の優先順位を決定し、前記算出した要求量しきい値を、優先順位の高い前記光加入者装置から順に、該当する前記光加入者装置に通知する要求量しきい値通知ステップと、
前記光加入者装置が、通知された前記要求量しきい値以下で最大の送信量とできるフレーム端までのデータ量相当を送信要求量として前記光端局装置に通知する送信要求量通知ステップと、
前記光端局装置が、前記光加入者装置からの前記送信要求量に基づいて前記光端局装置への通信帯域を割り当て、割り当てたデータ量である送信許可量を該当する前記光加入者装置に通知する送信許可量通知ステップと、
を順に有することを特徴とする帯域割当方法。
【請求項２】
前記要求量しきい値通知ステップにおいて、前記光加入者装置が、
前記算出した要求量しきい値と既に通知した要求量しきい値との差を前記光加入者装置ごとに算出し、
当該差に基づいて前記優先順位を決定することを特徴とする請求項１に記載の帯域割当方法。
【請求項３】
前記要求量しきい値通知ステップにおいて、前記光端局装置が、
送信要求のあった前記光加入者装置の台数又は前記光加入者装置からの通信量の変動を監視し、
前記光加入者装置の前記台数又は前記通信量が変動すると、
変動後の前記光加入者装置の前記台数又は前記通信量から決定される目標帯域を用いて、前記要求量しきい値を前記光加入者装置ごとに算出し、
前記算出した要求量しきい値と既に通知した要求量しきい値との差を前記光加入者装置ごとに算出し、
当該差の大きい順に前記優先順位を決定し、前記算出した要求量しきい値を、優先順位の高い前記光加入者装置から順に、該当する前記光加入者装置に通知する
ことを特徴とする請求項２に記載の帯域割当方法。
【請求項４】
前記要求量しきい値通知ステップにおいて、前記光端局装置が、
前記光加入者装置の識別子をｋとし、周期的に通知される送信要求量のうち、前記優先順位を更新する時刻から最も近い第１の時刻に通知された送信要求量をＲ（ｋ，１）として記憶するとともに、
前記第１の時刻よりも以前で最も近い第２の時刻に通知された送信要求量をＲ（ｋ，０）として記憶し、
Ｒ（ｋ，０）＝０でありかつＲ（ｋ，１）＞０である前記光加入者装置を、最も優先順位の高い第１の優先順位に決定し、
Ｒ（ｋ，０）＞０でありかつＲ（ｋ，１）＞０である前記光加入者装置を、前記第１の優先順位の次に優先順位の高い第２の優先順位に決定し、
Ｒ（ｋ，１）＝０である前記光加入者装置を、前記第２の優先順位の次に優先順位の高い第３の優先順位に決定し、
前記第１の優先順位の前記光加入者装置の中で、伝送速度が高速な順に前記優先順位を決定し、
前記第２の優先順位の前記光加入者装置の中で、伝送速度が低速な順に前記優先順位を決定する
ことを特徴とする請求項１から３のいずれかに記載の帯域割当方法。
【請求項５】
光端局装置と複数の光加入者装置とが光伝送路を介して接続された受動光通信網において、前記光加入者装置から前記光端局装置への通信帯域を前記光端局装置が動的に割り当てる受動光通信網システムであって、
前記光端局装置は、
前記光加入者装置から送信可能なデータ量の限界を示す要求量しきい値を前記光加入者装置ごとに算出するとともに前記光加入者装置の優先順位を決定し、前記算出した要求量しきい値を、優先順位の高い前記光加入者装置から順に、該当する前記光加入者装置に通知する要求量しきい値通知手段と、
前記光加入者装置からの前記送信要求量に基づいて、前記光端局装置への通信帯域を割り当てる通信帯域割当手段と、
前記光加入者装置は、
通知された前記要求量しきい値以下で最大の送信量とできるフレーム端までのデータ量相当を送信要求量として前記光端局装置に通知する送信要求量通知手段と、
を備えることを特徴とする受動光通信網システム。
【請求項６】
前記要求量しきい値通知手段は、前記算出した要求量しきい値と既に通知した要求量しきい値との差を前記光加入者装置ごとに算出し、当該差に基づいて前記優先順位を決定することを特徴とする請求項５に記載の受動光通信網システム。
【請求項７】
前記要求量しきい値通知手段は、送信要求のあった前記光加入者装置の台数又は前記光加入者装置からの通信量の変動を監視し、
前記光加入者装置の前記台数又は前記通信量が変動すると、
変動後の前記光加入者装置の前記台数又は前記通信量から決定される目標帯域を用いて、前記要求量しきい値を前記光加入者装置ごとに算出し、
前記算出した要求量しきい値と既に通知した要求量しきい値との差を前記光加入者装置ごとに算出し、
当該差の大きい順に前記優先順位を決定し、前記算出した要求量しきい値を、優先順位の高い前記光加入者装置から順に、該当する前記光加入者装置に通知することを特徴とする請求項６に記載の受動光通信網システム。
【請求項８】
前記要求量しきい値通知手段は、
前記光加入者装置の識別子をｋとし、周期的に通知される送信要求量のうち、前記優先順位を更新する時刻から最も近い第１の時刻に通知された送信要求量をＲ（ｋ，１）として記憶するとともに、
前記第１の時刻よりも以前で最も近い第２の時刻に通知された送信要求量をＲ（ｋ，０）として記憶し、
Ｒ（ｋ，０）＝０でありかつＲ（ｋ，１）＞０である前記光加入者装置を、最も優先順位の高い第１の優先順位に決定し、
Ｒ（ｋ，０）＞０でありかつＲ（ｋ，１）＞０である前記光加入者装置を、前記第１の優先順位の次に優先順位の高い第２の優先順位に決定し、
Ｒ（ｋ，１）＝０である前記光加入者装置を、前記第２の優先順位の次に優先順位の高い第３の優先順位に決定し、
前記第１の優先順位の前記光加入者装置の中で、伝送速度が高速な順に前記優先順位を決定し、
前記第２の優先順位の前記光加入者装置の中で、伝送速度が低速な順に前記優先順位を決定する
ことを特徴とする請求項５から７のいずれかに記載の受動光通信網システム。
【発明の詳細な説明】
【技術分野】
【０００１】
本発明は、受動光通信網における上り通信の通信時間（帯域）を動的に割り当てる帯域割当方法およびこれを実行する受動光通信網システムに関するものである。
【背景技術】
【０００２】
近年、インターネットの発展により、ＦＴＴＨ（Ｆｉｂｅｒ  Ｔｏ  Ｔｈｅ  Ｈｏｍｅ）サービスの利用者が増加している。ＰＯＮ（Ｐａｓｓｉｖｅ  Ｏｐｔｉｃａｌ  Ｎｅｔｗｏｒｋ：受動光通信網）は、通信事業者局に設置されるＯＬＴ（Ｏｐｔｉｃａｌ  Ｌｉｎｅ  Ｔｅｒｍｉｎａｌ：光端局装置）と、ユーザ宅に設置されるＯＮＵ（Ｏｐｔｉｃａｌ  Ｎｅｔｗｏｒｋ  Ｕｎｉｔ：光加入者装置）とからなるＦＴＴＨの一形態である。ＰＯＮは、ＯＬＴと複数のＯＮＵとを、光ファイバや受動光スプリッタ等の光伝送路を介して接続した光ネットワークであり、その経済的優位性により、広く利用されている。
【０００３】
ＯＬＴとＯＮＵとがイーサネット（登録商標）フレームにより通信を行うＥＰＯＮ（Ｅｔｈｅｒｎｅｔ  ＰＯＮ）（Ｅｔｈｅｒｎｅｔは登録商標）の中で、伝送速度が１ＧｂｐｓであるＧＥ−ＰＯＮ（Ｇｉｇａｂｉｔ  Ｅｔｈｅｒｎｅｔ  ＰＯＮ）（Ｅｔｈｅｒｎｅｔは登録商標）は、高速かつ安価なＦＴＴＨサービスを提供することができるため、特に国内では広く用いられている。また、最近では、伝送速度を１０Ｇｂｐｓに高速化した１０Ｇ−ＥＰＯＮの標準仕様が検討されている。１０Ｇ−ＥＰＯＮの標準仕様では、図６に示すように１０Ｇｂｐｓと１Ｇｂｐｓの異なる伝送速度のＯＮＵ６０を、ＯＬＴ５０に混在して接続することが考慮されている。
【０００４】
一般に、ＰＯＮにおいては、ＯＬＴからＯＮＵへの通信の方向を下り方向と呼び、これと反対方向のＯＮＵからＯＬＴへの通信を上り方向と呼ぶ。ＧＥ−ＰＯＮを始めとする多くのＰＯＮでは、上り方向の通信は時分割多元接続によって行われる。ＯＬＴにより、それぞれのＯＮＵの送信開始時刻を制御することで、複数のＯＮＵがＯＬＴと時分割通信できるようにしている。
【０００５】
１０Ｇ−ＥＰＯＮの上り通信も同様に時分割多元接続により行われる。１０Ｇ−ＥＰＯＮでは、１台のＯＬＴに、上り伝送速度が異なる複数のＯＮＵが接続できる方式が検討されている。このとき、異なる速度のＯＮＵとの間であっても、時分割多元接続により上り通信を実現する。
【０００６】
上り方向の通信が時分割多元接続によって行われる多くのＰＯＮにおいて、上り方向への割当帯域を効率的に使用するには、それぞれのＯＮＵに対して上り通信を許可する時間の長さを、通信の状況に応じて動的に変更することによる動的帯域割当が重要である。ここで、帯域は、各ＯＮＵに対して送信許可量を算出し、その送信時間帯を排他的に確保することにより、割り当てられる。
【０００７】
ＧＥ−ＰＯＮには、ＭＰＣＰ（Ｍｕｌｔｉ  Ｐｏｉｎｔ−Ｃｏｎｔｒｏｌ  Ｐｒｏｔｏｃｏｌ）と呼ばれる、複数のＯＮＵの送信開始時刻を制御するプロトコルが定められている。ＯＬＴはＭＰＣＰを用いて動的帯域割当を実行する。
【０００８】
ＯＮＵは、送信待ちの上りデータ量を送信要求量として送信要求信号に記載してＯＬＴに送信する。ＯＬＴは、送信要求信号を受信し、送信要求量を参照し、ＯＮＵごとに送信を許可する量と送信開始時刻とを算出し、これらを送信許可信号に記載して各ＯＮＵに送信する。その際、それぞれのＯＮＵの送信信号が時間的に重複しないように制御する。ＯＮＵは受信した送信許可信号に従い、指定された送信開始時刻から送信を開始し、上りバッファに蓄積していた信号を、指定された送信許可量の時間だけ送信する。
【０００９】
動的帯域割当の方法は、ＰＯＮシステムの性能を決定する上で重要である。ＰＯＮシステムの性能は、帯域利用効率や、実際の割当帯域の目標帯域への収束の速さなどを指標に評価することができる。動的帯域割当においては、高い帯域利用効率を保ちつつ、各ＯＮＵの通信状態から目標帯域を算出し、その目標帯域に実際の割当帯域を近づけることが重要である。ここで、実際の上り割当帯域の目標帯域への収束の速さは、動的帯域割当の方法によって大きく影響を受ける。
【００１０】
ＰＯＮシステムにおいては、割当帯域がより速く目標帯域に収束するほうが、高性能であるといえる。そこで、動的帯域割当の方法として、ＯＬＴがＯＮＵに送信要求量のしきい値である要求量しきい値を通知し、次にＯＮＵがＯＬＴに要求量しきい値以下のバッファ蓄積量を送信要求量として通知し、次にＯＬＴがＯＮＵから通知されたしきい値以下の送信要求量と一致させた送信許可量を送信許可量として通知する方法がある。
【００１１】
特許文献１には、各ＯＮＵの上り送信要求量に上限値を設けることで、上り方向への割当帯域を制御する方法が開示されている。この特許文献１によると、各ＯＮＵは送信要求量をＯＬＴに通知し、ＯＬＴは通知された送信要求量と一致した量の送信を許可することで、余剰帯域を無くし帯域利用効率を向上させる。このとき、他のＯＮＵに比べてトラフィック量の大きいＯＮＵに対して独占的に帯域を割り当てる状態を防ぎ、さらに、ＳＬＡ（Ｓｅｒｖｉｃｅ  Ｌｅｖｅｌ  Ａｇｒｅｅｍｅｎｔ）の実現のために、各ＯＮＵの送信要求量に上限値を設定するとしている。この上限値設定により、割当帯域を制御できるとしている。
【先行技術文献】
【特許文献】
【００１２】
【特許文献１】特表２００４−５２８７４０号公報
【発明の概要】
【発明が解決しようとする課題】
【００１３】
しかし、前述した従来の方法では、以下の２点が課題として挙げられる。課題１として、送信要求量の上限値が、割当帯域の目標帯域への速やかな収束に対し適当ではない点がある。また、課題２として、送信要求量の上限値をＯＮＵに通知する際の、ＯＮＵごとの優先順位が定められていない点がある。
【００１４】
すなわち、特許文献１では、特定のＯＮＵによる帯域独占を回避することと、ＳＬＡを実現することを目的として、送信要求量の上限値を設定することで、割当帯域の制御を行っているので、課題１のように、送信要求量の上限値が割当帯域の制御に対して適切でない値に固定されるため、割当帯域の目標帯域への速やかな収束を実現することも、収束の仕方を制御することもできない。また、特許文献１には、上記の方法に加えて、送信要求量の上限値を、接続された端末等からＯＮＵへの入力トラフィックに基づいて、動的に調整する方法が提案されているが、送信要求量の上限値を調整する具体的な手順は何ら開示されていない。
【００１５】
課題２のように、送信要求量の上限値をＯＮＵに通知する際に、通知するＯＮＵの順番、すなわち、優先順位を考慮して通知する方法が何ら開示されていない。そのため、送信要求量の上限値を通知する際、ＯＬＴに接続する全てのＯＮＵへの通知が完了するのに実装上の都合で時間を要する場合に、早急に通知しなければならないＯＮＵへの通知に時間を要し、割当帯域の目標帯域への速やかな収束に大きな影響を与えることがある。
【００１６】
前記課題を解決するために、本発明の目的は、ＰＯＮの上り方向への割当帯域を動的に割り当てるとき、送信要求量と送信許可量との不一致を最小限にしつつ、割当帯域の目標帯域への収束に適した要求量しきい値に、割当帯域の目標帯域への収束に適した優先順位で更新し、割当帯域を速やかに目標帯域に収束させることである。
【課題を解決するための手段】
【００１７】
具体的には、本発明に係る帯域割当方法は、光端局装置と複数の光加入者装置とが光伝送路を介して接続された受動光通信網において、前記光加入者装置から前記光端局装置への通信帯域を動的に割り当てる帯域割当方法であって、前記光端局装置が、前記光加入者装置から送信可能なデータ量の限界を示す要求量しきい値を前記光加入者装置ごとに算出するとともに前記光加入者装置の優先順位を決定し、前記算出した要求量しきい値を、優先順位の高い前記光加入者装置から順に、該当する前記光加入者装置に通知する要求量しきい値通知ステップと、前記光加入者装置が、通知された前記要求量しきい値以下で最大の送信量とできるフレーム端までのデータ量相当を送信要求量として前記光端局装置に通知する送信要求量通知ステップと、前記光端局装置が、前記光加入者装置からの前記送信要求量に基づいて、前記光端局装置への通信帯域を割り当て、割り当てたデータ量である送信許可量を該当する前記光加入者装置に通知する送信許可量通知ステップと、を順に有することを特徴とする。
【００１８】
要求量しきい値通知ステップと、送信要求量通知ステップと、送信許可量通知ステップと、を順に有することで、光加入者装置から光端局装置への通信帯域を動的に割り当て、送信要求量と送信許可量との不一致を最小限にすることができる。ここで、要求量しきい値通知ステップにおいて、要求量しきい値を光加入者装置ごとに算出するとともに光加入者装置の優先順位を決定し、算出した要求量しきい値を、優先順位の高い光加入者装置から順に、該当する光加入者装置に通知する。これにより、割当帯域の目標帯域への収束に適した要求量しきい値に、割当帯域の目標帯域への収束に適した優先順位で更新し、各光加入者装置の割当帯域を速やかに目標帯域に収束させることができる。
【００１９】
本発明に係る帯域割当方法では、前記要求量しきい値通知ステップにおいて、前記光加入者装置が、前記算出した要求量しきい値と既に通知した要求量しきい値との差を前記光加入者装置ごとに算出し、当該差に基づいて前記優先順位を決定することが好ましい。
【００２０】
算出した要求量しきい値と既に通知した要求量しきい値との差が大きいほど、既に通知した要求量しきい値は、割当帯域の目標帯域への収束に適した値と大きく異なる。そこで、算出した要求量しきい値と既に通知した要求量しきい値との差の大きい光加入者装置の優先順位を高くする。これにより、要求量しきい値が割当帯域の目標帯域への収束に適した値と大きく異なる順に要求量しきい値をＯＮＵに通知することができる。
【００２１】
本発明に係る帯域割当方法では、前記要求量しきい値通知ステップにおいて、前記光端局装置が、送信要求のあった前記光加入者装置の台数又は前記光加入者装置からの通信量の変動を監視し、前記光加入者装置の前記台数又は前記通信量が変動すると、変動後の前記光加入者装置の前記台数又は前記通信量から決定される目標帯域を用いて、前記要求量しきい値を前記光加入者装置ごとに算出し、前記算出した要求量しきい値と既に通知した要求量しきい値との差を前記光加入者装置ごとに算出し、当該差の大きい順に前記優先順位を決定し、前記算出した要求量しきい値を、優先順位の高い前記光加入者装置から順に、該当する前記光加入者装置に通知することが好ましい。
【００２２】
光加入者装置の台数又は上り方向の通信量が変動すると、各光加入者装置の目標帯域は変動する。そのため、各光加入者装置の目標帯域が変動後の要求量しきい値及び優先順位を再度算出することで、目標帯域への収束に適した要求量しきい値を各光加入者装置に通知することができる。これにより、各光加入者装置の割当帯域を速やかに目標帯域に収束させることができる。
【００２３】
本発明に係る帯域割当方法では、前記要求量しきい値通知ステップにおいて、前記光端局装置が、前記光加入者装置の識別子をｋとし、周期的に通知される送信要求量のうち、前記優先順位を更新する時刻から最も近い第１の時刻に通知された送信要求量をＲ（ｋ，１）として記憶するとともに、前記第１の時刻よりも以前で最も近い第２の時刻に通知された送信要求量をＲ（ｋ，０）として記憶し、Ｒ（ｋ，０）＝０でありかつＲ（ｋ，１）＞０である前記光加入者装置を、最も優先順位の高い第１の優先順位に決定し、Ｒ（ｋ，０）＞０でありかつＲ（ｋ，１）＞０である前記光加入者装置を、前記第１の優先順位の次に優先順位の高い第２の優先順位に決定し、Ｒ（ｋ，１）＝０である前記光加入者装置を、前記第２の優先順位の次に優先順位の高い第３の優先順位に決定し、前記第１の優先順位の前記光加入者装置の中で、伝送速度が高速な順に前記優先順位を決定し、前記第２の優先順位の前記光加入者装置の中で、伝送速度が低速な順に前記優先順位を決定することが好ましい。
【００２４】
新たに通信を始める場合、その光加入者装置が保持している要求量しきい値と目標帯域への収束に適した値との差が最も大きくなる。そのため、Ｒ（ｋ，０）＝０でありかつＲ（ｋ，１）＞０である光加入者装置の優先順位を第１の優先順位に決定する。そして、前周期および今周期においても送信要求のある光加入者装置を第２の優先順位に決定し、前周期および今周期においても送信要求のない光加入者装置を最も低い第３の優先順位に決定する。これにより、光加入者装置の割当帯域を速やかに目標帯域に収束させることができる。
【００２５】
ここで、新たに通信を始める場合、伝送速度が高い光加入者装置ほど、目標帯域への収束に適した要求量しきい値との差異が大きくなる可能性がある。そのため、第１の優先順位に該当する光加入者装置が複数存在する場合には、伝送速度が高速な光加入者装置の優先順位を高くする。これにより、光加入者装置の割当帯域を速やかに目標帯域に収束させることができる。
【００２６】
また、伝送速度が低速な光加入者装置ほど、他の光加入者装置に影響を及ぼしやすい。そのため、第２の優先順位に該当する光加入者装置が複数存在する場合には、伝送速度が低速な光加入者装置の優先順位を高くする。これにより、光加入者装置の割当帯域を速やかに目標帯域に収束させることができる。
【００２７】
具体的には、本発明に係る受動光通信網システムは、光端局装置と複数の光加入者装置とが光伝送路を介して接続された受動光通信網において、前記光加入者装置から前記光端局装置への通信帯域を前記光端局装置が動的に割り当てる受動光通信網システムであって、前記光端局装置は、前記光加入者装置から送信可能なデータ量の限界を示す要求量しきい値を前記光加入者装置ごとに算出するとともに前記光加入者装置の優先順位を決定し、前記算出した要求量しきい値を、優先順位の高い前記光加入者装置から順に、該当する前記光加入者装置に通知する要求量しきい値通知手段と、前記光加入者装置からの前記送信要求量に基づいて、前記光端局装置への通信帯域を割り当てる通信帯域割当手段と、前記光加入者装置は、通知された前記要求量しきい値以下で最大の送信量とできるフレーム端までのデータ量相当を送信要求量として前記光端局装置に通知する送信要求量通知手段と、を備えることを特徴とする。
【００２８】
要求量しきい値通知手段と、要求量しきい値通知手段と、送信要求量通知手段と、送信許可量通知手段と、を備えることで、ＯＮＵからＯＬＴへの通信帯域を動的に割り当て、送信要求量と送信許可量との不一致を最小限にすることができる。ここで、要求量しきい値通知手段が、要求量しきい値を光加入者装置ごとに算出するとともに光加入者装置の優先順位を決定し、算出した要求量しきい値を、優先順位の高い光加入者装置から順に、該当する光加入者装置に通知する。これにより、割当帯域の目標帯域への収束に適した要求量しきい値に、割当帯域の目標帯域への収束に適した優先順位で更新し、各光加入者装置の割当帯域を速やかに目標帯域に収束させることができる。
【００２９】
本発明に係る受動光通信網システムでは、前記要求量しきい値通知手段は、前記算出した要求量しきい値と既に通知した要求量しきい値との差を前記光加入者装置ごとに算出し、当該差に基づいて前記優先順位を決定することが好ましい。
【００３０】
算出した要求量しきい値と既に通知した要求量しきい値との差が大きいほど、既に通知した要求量しきい値は、割当帯域の目標帯域への収束に適した値と大きく異なる。そこで、算出した要求量しきい値と既に通知した要求量しきい値との差の大きい光加入者装置の優先順位を高くする。これにより、要求量しきい値が割当帯域の目標帯域への収束に適した値と大きく異なる順に要求量しきい値をＯＮＵに通知することができる。
【００３１】
本発明に係る受動光通信網システムでは、前記要求量しきい値通知手段は、送信要求のあった前記光加入者装置の台数又は前記光加入者装置からの通信量の変動を監視し、前記光加入者装置の前記台数又は前記通信量が変動すると、変動後の前記光加入者装置の前記台数又は前記通信量から決定される目標帯域を用いて、前記要求量しきい値を前記光加入者装置ごとに算出し、前記算出した要求量しきい値と既に通知した要求量しきい値との差を前記光加入者装置ごとに算出し、当該差の大きい順に前記優先順位を決定し、前記算出した要求量しきい値を、優先順位の高い前記光加入者装置から順に、該当する前記光加入者装置に通知することが好ましい。
【００３２】
光加入者装置の台数又は上り方向の通信量が変動すると、各光加入者装置の目標帯域は変動する。そのため、各光加入者装置の目標帯域が変動後の要求量しきい値及び優先順位を再度算出することで、目標帯域への収束に適した要求量しきい値を各光加入者装置に通知することができる。これにより、各光加入者装置の割当帯域を速やかに目標帯域に収束させることができる。
【００３３】
本発明に係る受動光通信網システムでは、前記要求量しきい値通知手段は、前記光加入者装置の識別子をｋとし、周期的に通知される送信要求量のうち、前記優先順位を更新する時刻から最も近い第１の時刻に通知された送信要求量をＲ（ｋ，１）として記憶するとともに、前記第１の時刻よりも以前で最も近い第２の時刻に通知された送信要求量をＲ（ｋ，０）として記憶し、Ｒ（ｋ，０）＝０でありかつＲ（ｋ，１）＞０である前記光加入者装置を、最も優先順位の高い第１の優先順位に決定し、Ｒ（ｋ，０）＞０でありかつＲ（ｋ，１）＞０である前記光加入者装置を、前記第１の優先順位の次に優先順位の高い第２の優先順位に決定し、Ｒ（ｋ，１）＝０である前記光加入者装置を、前記第２の優先順位の次に優先順位の高い第３の優先順位に決定し、前記第１の優先順位の前記光加入者装置の中で、伝送速度が高速な順に前記優先順位を決定し、前記第２の優先順位の前記光加入者装置の中で、伝送速度が低速な順に前記優先順位を決定することが好ましい。
【００３４】
新たに通信を始める場合、その光加入者装置が保持している要求量しきい値と目標帯域への収束に適した値との差が最も大きくなる。そこで、Ｒ（ｋ，０）＝０でありかつＲ（ｋ，１）＞０である光加入者装置の優先順位を第１の優先順位に決定する。そして、前周期および今周期においても送信要求のある光加入者装置を第２の優先順位に決定し、前周期および今周期においても送信要求のない光加入者装置を最も低い第３の優先順位に決定する。これにより、光加入者装置の割当帯域を速やかに目標帯域に収束させることができる。
【００３５】
ここで、新たに通信を始める場合、伝送速度が高い光加入者装置ほど、目標帯域への収束に適した要求量しきい値との差異が大きくなる可能性がある。そのため、第１の優先順位に該当する光加入者装置が複数存在する場合には、伝送速度が高速な光加入者装置の優先順位を高くする。これにより、光加入者装置の割当帯域を速やかに目標帯域に収束させることができる。
【００３６】
また、伝送速度が低速な光加入者装置ほど、他の光加入者装置に影響を及ぼしやすい。そのため、第２の優先順位に該当する光加入者装置が複数存在する場合には、伝送速度が低速な光加入者装置の優先順位を高くする。これにより、光加入者装置の割当帯域を速やかに目標帯域に収束させることができる。
【００３７】
なお、上記各発明は、可能な限り組み合わせることができる。
【発明の効果】
【００３８】
本発明によれば、ＰＯＮの上り方向への割当帯域を動的に割り当てるとき、送信要求量と送信許可量との不一致を最小限にしつつ、各ＯＮＵへの送信許可量の経時変化をＯＬＴが監視しながら、割当帯域の目標帯域への収束に適した要求量しきい値に、割当帯域の目標帯域への収束に適した優先順位で更新することができ、割当帯域を速やかに目標帯域に収束させることができる。
【図面の簡単な説明】
【００３９】
【図１】本発明の実施形態に係る受動光通信網システムの概略構成図である。
【図２】本発明の実施形態に係る帯域割当方法の一例を示す。
【図３】要求量しきい値Ｔｋと優先順位ｉの一例を示す。
【図４】要求量しきい値通知ステップにおける要求量しきい値Ｔｋの算出処理手順の一例を示す。
【図５】要求量しきい値通知ステップにおける要求量しきい値Ｔｋの通知処理手順の一例を示す。
【図６】１０Ｇ−ＥＰＯＮの標準仕様で構築した受動光通信網システムの一例である。
【発明を実施するための形態】
【００４０】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００４１】
図１は、本発明の実施形態に係る受動光通信網システムの概略構成図である。本実施形態に係る図１に示す受動光通信網システム１００は、光加入者装置であるＯＮＵ６０ｋから光端局装置であるＯＬＴ５０への上り方向の通信がＴＤＭ（時分割多元接続）で実現されるシステムである。ＯＬＴ５０には、高速と低速の２種類の伝送速度のＯＮＵ６０ｋが接続されている。ただし、ＯＮＵ６０ｋの伝送速度は２種類に限定されず、３種類以上であってもよい。ＯＮＵ６０ｋは、Ｎ台のＯＮＵのうちのｋ番目（ｋは１以上Ｎ以下の整数。）のＯＮＵ６０ｋを示す。本実施形態では、複数のＯＮＵの代表として、ＯＮＵ６０ｋについてのみ説明する。
【００４２】
受動光通信網システム１００は、ＯＬＴ５０とＯＮＵ６０ｋとが光伝送路１０を介して接続された受動光通信網において、ＯＮＵ６０ｋからＯＬＴ５０への通信帯域をＯＬＴ５０が動的に割り当てる。ＯＬＴ５０は、ＯＮＵ６０ｋの過去の所定周期分の割当帯域から求めた時間平均割当帯域に基づいて、時間平均割当帯域の目標帯域への収束に適した要求量しきい値Ｔｋを算出する。ＯＬＴ５０は、算出した要求量しきい値Ｔｋを、予め定めた優先順位に従ってＯＮＵ６０ｋに通知する。
【００４３】
具体的には、ＯＬＴ５０は、要求量しきい値通知手段５１と、送信許可量通知手段５２と、データ転送手段５３と、を備える。ＯＮＵ６０ｋは、送信要求手段６１と、送信要求量通知手段６２と、データ送信手段６３と、を備える。そして、受動光通信網システム１００は、これらの構成を用いて、本発明に係る帯域割当方法を実行する。
【００４４】
図２に、本発明の実施形態に係る帯域割当方法の一例を示す。本実施形態に係る帯域割当方法は、ＯＮＵ６０ｋからＯＬＴ５０への通信帯域を動的に割り当てる帯域割当方法であり、送信要求ステップＳ１０１と、要求量しきい値通知ステップＳ１０２と、送信要求量通知ステップＳ１０３と、送信許可量通知ステップＳ１０４と、データ送信ステップＳ１０５と、を順に有する。以下、本実施形態に係る受動光通信網システム１００及び帯域割当方法の詳細について、図１及び図２を用いて具体的に説明する。
【００４５】
ＯＮＵ６０ｋは、送信要求ステップＳ１０１を実行する。具体的には、送信要求手段６１が、送信要求信号ｒｋをＯＬＴ５０に送信する。送信要求信号ｒｋは、上り方向の送信要求の有無が記載された信号であり、Ｎ台のＯＮＵ６０ｋ全てから一定周期で送信される。
【００４６】
ＯＬＴ５０は、要求量しきい値通知ステップＳ１０２を実行する。具体的には、要求量しきい値通知手段５１は、ＯＮＵ６０ｋから送信可能なデータ量の限界を示す要求量しきい値ＴｋをＯＮＵ６０ｋごとに算出するとともに、ＯＮＵ６０ｋの優先順位を決定する。そして、要求量しきい値通知手段５１は、算出した要求量しきい値Ｔｋを、優先順位の高いＯＮＵ６０ｋから順に、該当するＯＮＵ６０ｋに通知する。これにより、割当帯域の目標帯域への収束に適した要求量しきい値Ｔｋに、割当帯域の目標帯域への収束に適した優先順位で更新することができる。
【００４７】
図３に、要求量しきい値Ｔｋと優先順位ｉの一例を示す。優先順位ｉの順に、ＯＮＵ６０ｋの識別子ｋが、ｋ＝３、ｋ＝５、ｋ＝４、ｋ＝６、ｋ＝１、ｋ＝２の順で配列されている。そして、各ＯＮＵ６０ｋの要求量しきい値Ｔｋが、各ＯＮＵ６０ｋの識別子に関連付けられている。ここで、要求量しきい値Ｔｋ（０）はＯＮＵｋに通知済みの要求量しきい値Ｔｋを示し、要求量しきい値Ｔｋ（１）は算出した要求量しきい値Ｔｋを示す。要求量しきい値通知手段５１は、このリストに基づいて、要求量しきい値Ｔ３（１）をＯＮＵ６０３に通知し、次に要求量しきい値Ｔ５（１）をＯＮＵ６０５に通知し、次に要求量しきい値Ｔ４（１）をＯＮＵ６０４に通知し、・・・最後に要求量しきい値Ｔ２（１）をＯＮＵ６０２に通知する。
【００４８】
ここで、送信要求信号ｒｋにおいて送信要求ありとしたＯＮＵ６０ｋの台数又は通信量が変化すると目標帯域も変化する。そのため、要求量しきい値通知手段５１は、送信要求のあったＯＮＵ６０ｋの台数又はＯＮＵ６０ｋからの通信量の変動を監視していることが好ましい。この場合、ＯＮＵ６０ｋの台数又は通信量が変動すると、要求量しきい値通知手段５１は、変動後のＯＮＵ６０ｋの台数又は通信量から決定される目標帯域を用いて、要求量しきい値ＴｋをＯＮＵ６０ｋごとに算出する。そして、新たなＯＮＵ６０ｋの優先順位を決定し、算出した新たな要求量しきい値Ｔｋ（１）が格納されたリストを作成して、このリストに基づいて要求量しきい値Ｔｋを通知する。これにより、各ＯＮＵ６０ｋへの送信許可量ｐｋの経時変化をＯＬＴ５０が監視しながら、割当帯域の目標帯域への収束に適した要求量しきい値Ｔｋに更新することができる。
【００４９】
ＯＮＵ６０ｋは、送信要求量通知ステップＳ１０３を実行する。具体的には、送信要求量通知手段６２は、要求量しきい値通知手段５１から通知された要求量しきい値Ｔｋ以下で最大の送信量とできるフレーム端までのデータ量相当を送信要求量ＲｋとしてＯＬＴ５０に通知する。このとき、割当帯域の目標帯域への収束に適した優先順位で各ＯＮＵ６０ｋの要求量しきい値Ｔｋが更新されているので、各ＯＮＵ６０ｋの割当帯域を速やかに目標帯域に収束させることができる。
【００５０】
ＯＬＴ５０は、送信許可量通知ステップＳ１０４を実行する。具体的には、送信許可量通知手段５２は、ＯＮＵ６０ｋからの送信要求量Ｒｋに基づいてＯＬＴ５０への通信帯域を割り当て、割り当てたデータ量である送信許可量ｐｋを該当するＯＮＵ６０ｋに通知する。このとき、送信許可量通知手段５２は、送信許可量ｐｋの送信開始時刻ｔｋも通知する。これにより、ＰＯＮの上り方向への割当帯域を動的に割り当てるとき、送信要求量と送信許可量との不一致を最小限にすることができる。
【００５１】
ＯＮＵ６０ｋは、データ送信ステップＳ１０５を実行する。具体的には、データ送信手段６３は、通知された送信許可量ｐｋのデータを、送信許可量通知手段５２から通知された送信開始時刻ｔｋで、ＯＬＴ５０に送信する。ＯＬＴ５０は、送信許可量通知手段５２からのデータを宛先に転送する。
【００５２】
受動光通信網システム１００は、送信要求ステップＳ１０１からデータ送信ステップＳ１０５までを実行することで、ＰＯＮの上り方向への割当帯域を動的に割り当てるとき、送信要求量と送信許可量との不一致を最小限にしつつ、各ＯＮＵへの送信許可量の経時変化をＯＬＴが監視しながら、割当帯域の目標帯域への収束に適した要求量しきい値Ｔｋに、割当帯域の目標帯域への収束に適した優先順位で更新することができ、実際の割当帯域を速やかに目標帯域に収束させることができる。
【００５３】
図４は、要求量しきい値通知ステップＳ１０２における要求量しきい値Ｔｋの算出処理手順の一例を示す。図４に示した要求量しきい値Ｔｋの算出処理は、帯域割当を繰り返す周期において、毎回実行し、その周期内に完了する。一方、図５は、要求量しきい値通知ステップＳ１０２における要求量しきい値Ｔｋの通知処理手順の一例を示す。図５に示した要求量しきい値Ｔｋの通知処理は、帯域割当を繰り返す複数の周期に渡って処理を完了する。
【００５４】
図４および図５の両手順においては、共通の変数としてＶを用いる。詳細は後述するが、図４の手順において、変数Ｖに、「ＴＲＵＥ」及び「ＦＡＬＳＥ」で表される真偽いずれかの値を代入し、図５の手順において変数Ｖの値を参照する。値の代入は周期ごとに行われるが、値の参照はステップＳ２１及びステップＳ２６の実行時のみに行う。ただし、これは図４に示す処理手順及び図５に示す処理手順の間で情報のやり取りができればよく、上記に示した共通の変数を用いる方法には限定されない。
【００５５】
まず、図４に示す要求量しきい値Ｔｋの算出処理手順の詳細について説明する。本手順は、帯域割り当てを繰り返す周期ごとに開始する。
ステップＳ１１では、全てのＯＮＵ６０ｋからの上り送信要求信号ｒｋを受信する。
次のステップＳ１２では、全ＯＮＵ６０ｋの要求量しきい値Ｔｋを算出する。
【００５６】
ここで、要求量しきい値Ｔｋは、例えば、ＤＢＡ（Ｄｙｎａｍｉｃ  Ｂａｎｄｗｉｄｔｈ  Ａｌｌｏｃａｔｉｏｎ）アルゴリズムを用いて算出する。ＤＢＡアルゴリズムを用いて時間平均割当帯域が目標帯域に近づくように制御し、実際の割当帯域を目標帯域に収束させる。目標帯域への収束は、例えば、時間平均割当帯域と目標帯域との差分をゼロに近づけるように、要求量しきい値Ｔｋを制御する。時間平均割当帯域と目標帯域との差分をゼロに近づける方法は複数あるが、例えば、ＰＩＤ（Ｐｒｏｐｏｒｔｉｏｎａｌ−Ｉｎｔｅｇｒａｌ−Ｄｅｒｉｖａｔｉｖｅ  ｃｏｎｔｒｏｌ）制御を用いることができる。
【００５７】
時間平均割当帯域と目標帯域との差分をｅｋとすると、ＯＮＵ６０ｋに通知する要求量しきい値Ｔｋは次式で表される。
【数１】
2011035868.tif 000003
ここで、Ｐ、Ｉ、Ｄ、Ｂは定数である。
【００５８】
次のステップＳ１３では、通信状態に変化があったか否かを判定する。ここで、通信状態の変化があるとは、前周期の送信要求信号ｒｋでは送信要求をなしとしたＯＮＵ６０ｋの台数と、今周期の送信要求信号ｒｋでは送信要求ありとしたＯＮＵ６０ｋの台数とを比較し、台数に変化があったことを意味するものとする。変化ありと判定された場合はステップＳ１４に移行し、変化無しと判定された場合はステップＳ１５に移行する。
【００５９】
ステップＳ１４では、通信状態に変化があったことを示すフラグＶに真「ＴＲＵＥ」と設定する。ステップＳ１５では、フラグＶに偽「ＦＡＬＳＥ」と設定する。
【００６０】
ステップＳ１４又はステップＳ１５の後のステップＳ１６では、要求量しきい値通知手段５１が、次の周期のステップＳ１３のために、今周期の送信要求信号ｒｋでは送信要求ありとしたＯＮＵ６０ｋの台数を通信状態として記憶し、終了する。
【００６１】
図５に示す要求量しきい値Ｔｋの通知処理手順の詳細について説明する。本手順も、図４と並行して帯域割り当てを繰り返す周期ごとに開始するが、処理が完了するまでには複数の周期に渡る時間を要する場合もあるため、あくまで、前回の本手順の実行が完了してから、開始する。
【００６２】
開始後は、まず、ステップＳ２１を実行する。ステップＳ２１では、通信状態の変化の有無を示すフラグＶを参照する。通信状態に変化がある場合すなわちフラグＶが真を示す「ＴＲＵＥ」である場合はステップＳ２２に移行し、フラグＶが偽を示す「ＦＡＬＳＥ」である場合すなわち通信状態に変化が無い場合は要求量しきい値Ｔｋの通知処理手順を終了する。
【００６３】
ステップＳ２２では、要求量しきい値Ｔｋを通知する優先順位Ｐ（ｉ）を決定して更新する。例えば、図３に示すような、優先順位の順にＯＮＵ６０ｋの識別子ｋが格納されたリストを作成する。
【００６４】
ステップＳ２３、ステップＳ２４、ステップＳ２５、ステップＳ２７及びステップＳ２８では、このリストに記載されている要求量しきい値Ｔｋを、該当するＯＮＵ６０ｋに対して、ｉが１番目からＮ番目まで順に通知する。ここで、Ｎは、ＯＬＴ５０に接続されているＯＮＵ６０ｋの台数を示す。また通知される要求量しきい値Ｔｋは、図４のステップＳ１２にて算出された値である。
【００６５】
ステップＳ２５とステップＳ２７の間に、すなわち、ＯＮＵ６０ｋに要求量しきい値Ｔｋを通知した後、ｉ番目のＯＮＵ６０ｋから、（ｉ＋１）番目のＯＮＵ６０ｋに移行する際に、ステップＳ２６を実行する。ステップＳ２６では、通信状態の変化の有無を参照して、ステップＳ２１で参照した時点からステップＳ２６に移行する間に、通信状態に変化があったか否かを判定する。ここで、通信状態の変化とは、図４で説明したとおり、今周期の送信要求信号ｒｋでは送信要求ありとしたＯＮＵ６０ｋの台数の変化である。
【００６６】
通信状態に変化がなければステップＳ２７に移行する。通信状態に変化があれば、ステップＳ２２に戻り、優先順位Ｐ（ｉ）を更新し、再度、要求量しきい値Ｔｋを通知していく。このとき、リストの先頭のＯＮＵ６０ｋから順に、要求量しきい値Ｔｋを通知していくことが好ましい。
【００６７】
そして、ステップＳ２８において、ｉの値が全ＯＮＵ６０ｋの台数であるＮよりも大きくなったとき、全ＯＮＵ６０ｋへの要求量しきい値Ｔｋの通知が完了したので、要求量しきい値Ｔｋの通知処理手順を終了する。
【００６８】
要求量しきい値通知手段５１の優先順位の決定例について、図１及び図３を参照しながら具体的に説明する。
ＯＮＵ６０ｋの優先順位は、要求量しきい値Ｔｋが割当帯域の目標帯域への収束に適した値と大きく異なる順であることが好ましい。そこで、まず、要求量しきい値通知手段５１は、新たに通信を始めたＯＮＵ６０ｋを第１の優先順位に決定する。ここで、新たに通信を始めたＯＮＵ６０ｋとは、前周期の送信要求信号ｒｋでは送信要求をなしとしたが、今周期の送信要求信号ｒｋでは送信要求ありとしたＯＮＵ６０ｋを意味する。
【００６９】
要求量しきい値通知手段５１は、ＯＮＵ６０ｋの識別子をｋとし、周期的に通知される送信要求量Ｒｋのうち、優先順位を更新する時刻から最も近い第１の時刻に通知された送信要求量をＲ（ｋ，１）として記憶するとともに、第１の時刻よりも以前で最も近い第２の時刻に通知された送信要求量をＲ（ｋ，０）として記憶する。そして、Ｒ（ｋ，０）＝０でありかつＲ（ｋ，１）＞０であるＯＮＵ６０３及びＯＮＵ６０５を、最も優先順位の高い第１の優先順位に決定する。
【００７０】
そして、異なる伝送速度のＯＮＵ６０ｋが共存している場合は、第１の優先順位のＯＮＵ６０ｋの中で、伝送速度が高速な順に優先順位を決定する。例えば、要求量しきい値Ｔｋの収束に適した値との差異が大きくなる可能性のある高速のＯＮＵ６０３（優先順位１位）を低速のＯＮＵ６０５（優先順位２位）より優先する。なお、伝送速度が３種類以上ある場合は、伝送速度の速い順番に優先順位を高くすることが好ましい。
【００７１】
これらのＯＮＵ６０ｋの要求量しきい値Ｔｋの更新を優先することで、要求量しきい値Ｔｋが割当帯域の目標帯域への収束に適した値と大きく異なる状態を短い時間のうちに回避して、該当するＯＮＵ６０ｋの割当帯域の収束を速くすることができる。
【００７２】
要求量しきい値通知手段５１は、前周期および今周期においても送信要求のあるＯＮＵ６０ｋを第２の優先順位に決定する。例えば、要求量しきい値通知手段５１は、Ｒ（ｋ，０）＞０でありかつＲ（ｋ，１）＞０であるＯＮＵ６０４及びＯＮＵ６０６を、第１の優先順位の次に優先順位の高い第２の優先順位に決定する。
【００７３】
そして、異なる伝送速度のＯＮＵ６０ｋが共存している場合は、第２の優先順位のＯＮＵ６０ｋの中で、他のＯＮＵ６０ｋの割当量に影響を及ぼしやすい伝送速度が低速な順に優先順位を決定する。例えば、他のＯＮＵ６０ｋの割当量に影響を及ぼしやすい低速のＯＮＵ６０４（優先順位３位）を高速のＯＮＵ６０６（優先順位４位）より優先して要求量しきい値Ｔｋの更新を行い、全ＯＮＵ６０ｋの割当量に与える影響を最小限にとどめる。
【００７４】
なお、同じ優先順位同士のＯＮＵ６０ｋでは、ＯＬＴ５０が算出した要求量しきい値Ｔｋ（１）と、既にＯＮＵ６０ｋに通知しＯＮＵ６０ｋが保持している要求量しきい値Ｔｋ（０）と、の差をＯＮＵ６０ｋごとに算出し、当該差に基づいて優先順位を決定することが好ましい。例えば、優先順位を当該差の大きい順とする。また、伝送速度が３種類以上ある場合は、伝送速度の遅い順番に優先順位を高くする。
【００７５】
また、送信要求のあったＯＮＵ６０ｋの台数又はＯＮＵ６０ｋからの通信量の変動を監視し、ＯＮＵ６０ｋの台数又は通信量が変動すると、変動後のＯＮＵ６０ｋの台数又は通信量から決定される目標帯域を用いて、要求量しきい値ＴｋをＯＮＵ６０ｋごとに算出し、算出した要求量しきい値Ｔｋ（１）と既に通知した要求量しきい値Ｔｋ（０）との差をＯＮＵ６０ｋごとに算出し、当該差に基づいて優先順位Ｐ（ｉ）を決定し、算出した要求量しきい値Ｔｋ（１）を、優先順位の高いＯＮＵ６０ｋから順に、該当するＯＮＵ６０ｋに通知することが好ましい。例えば、優先順位を当該差の大きい順とする。
【００７６】
要求量しきい値通知手段５１は、前周期及び今周期においても送信要求の無いＯＮＵ６０ｋを第３の優先順位に決定する。例えば、要求量しきい値通知手段５１は、Ｒ（ｋ，０）＝０でありかつＲ（ｋ，１）＝０であるＯＮＵ６０１及びＯＮＵ６０２を、第２の優先順位の次に優先順位の高い第３の優先順位に決定する。これらのＯＮＵ６０ｋの要求量しきい値Ｔｋの更新の優先順位を低く設定することで、優先して要求量しきい値Ｔｋを更新すべき他のＯＮＵ６０ｋの要求量しきい値Ｔｋの更新を早くすることができる。
【００７７】
ただし、これら通信をしていない、すなわち、前周期および今周期においても送信要求の無いＯＮＵ６０ｋが通信を始めた場合、新たに通信を始めたＯＮＵ６０ｋとなる。そこで、第３の優先順位のＯＮＵ６０ｋの中で、異なる伝送速度のＯＮＵ６０ｋがある場合には、要求量しきい値Ｔｋの収束に適した値との差異が大きくなる可能性のある伝送速度が高速な順に優先順位を決定する。例えば、高速のＯＮＵ６０１（優先順位５位）への要求量しきい値Ｔｋの更新を低速のＯＮＵ６０２（優先順位６位）より優先する。なお、伝送速度が３種類以上ある場合は、伝送速度の速い順番に優先順位を高くする。
【００７８】
これにより、全ＯＮＵ６０ｋの割当帯域が目標帯域に収束するのに適した順番で、要求量しきい値Ｔｋを更新することができる。また、要求量しきい値Ｔｋの更新の途中で通信状態の変化が生じた場合は、新たに要求量しきい値Ｔｋの更新の優先順位Ｐ（ｉ）を更新する。
【００７９】
ＯＬＴ５０から要求量しきい値Ｔｋを通知されたＯＮＵ６０ｋは、次にＯＬＴ５０から更新の通知があるまで、通知された要求量しきい値Ｔｋを保持する。ＯＮＵ６０ｋは、保持している要求量しきい値Ｔｋを超えない最大の送信量となるデータ量、および上りバッファ蓄積量を送信要求量ＲｋとしてＯＬＴ５０に通知する。ＯＬＴ５０は、ＯＮＵ６０ｋからの送信要求量Ｒｋに基づき、送信許可量ｐｋおよび送信開始時刻ｔｋを算出し、ＯＮＵ６０ｋに通知する。ＯＮＵ６０ｋは通知された送信許可量ｐｋおよび送信開始時刻ｔｋに従いデータｄｋを送信することで、送信要求量Ｒｋと送信許可量ｐｋとを最大限一致させる。これにより、帯域の利用効率を向上させることができる。
【産業上の利用可能性】
【００８０】
本発明は受動光通信網における帯域割当方法およびこれを実行する受動光通信網システムに適用することができるため、情報通信産業に利用することができる。
【符号の説明】
【００８１】
１０：光伝送路
５０：ＯＬＴ
５１：要求量しきい値通知手段
５２：送信許可量通知手段
５３：データ転送手段
６０、６０ｋ：ＯＮＵ
６１：送信要求手段
６２：送信要求量通知手段
６３：データ送信手段
１００：受動光通信網システム
【図１】
2011035868.tif 000004
【図２】
2011035868.tif 000005
【図３】
2011035868.tif 000006
【図４】
2011035868.tif 000007
【図５】
2011035868.tif 000008
【図６】
2011035868.tif 000009